(57)【要約】【課題】画像読み取り装置のセットアップ方法及び画像処理装置であって、経時変化等が生じ易いセットアップフィルタのようなものを使用することなく、セットアップ調整を適正に行うことができる画像読み取り装置のセットアップ方法及び画像処理装置を提供する。【解決手段】ＬＥＤ素子６１１Ｒ，６１１Ｇ，６１１ＢからフィルムＦを介して通過してくる透過光をＣＣＤ６２１Ｒ，６２１Ｇ，６２１Ｂに結像させて画像を読み取る画像読み取り装置６００のセットアップ方法及び画像処理装置であって、ＬＥＤ素子に対するそれぞれの係数を予め求めておき、セットアップ調整を行うときは、ＬＥＤ素子から直接的に到来する光により該光を受光して得られるＣＣＤ出力値がオーバーフローしないようにＬＥＤ素子の入力電流を絞ってフィルムＦに適した色バランスになるように入力電流の調整を行い、画像を読み取り時は、前記セットアップ調整で調整したＬＥＤ素子の入力電流値に前記予め求めておいたそれぞれの係数をかけることで光量を維持する。【選択図】    図２
2004248190.tif 000002
【特許請求の範囲】
【請求項１】
互いに異なるピーク波長を有する光波長域の光を発光する複数の発光ダイオード素子から出射された光を、透光性を有する被読み取り物に照射し、該被読み取り物を介して通過してくる透過光を複数の撮像素子に結像させて画像を読み取る画像読み取り装置のセットアップ調整を行うためのセットアップ方法であって、
前記複数の発光ダイオード素子から前記被読み取り物の光透過率に対応する光透過率を有する光絞り用フィルタを介して到来するそれぞれの透過光により該光を受光して得られる前記複数の撮像素子それぞれの出力値がオーバーフローしないそれぞれの所定範囲内の適正出力値になるような前記複数の発光ダイオード素子それぞれの入力電流値を、前記複数の発光ダイオード素子から前記光絞り用フィルタを介さずに直接的に到来するそれぞれの光により該光を受光して得られる前記複数の撮像素子それぞれの出力値が前記それぞれの適正出力値になるような前記複数の発光ダイオード素子それぞれの入力電流値で割ったそれぞれの係数を予め求めておき、
セットアップ調整を行うときは、前記複数の発光ダイオード素子から前記光絞り用フィルタを介さずに直接的に到来するそれぞれの光により該光を受光して得られる前記複数の撮像素子それぞれの出力値がオーバーフローしないように前記複数の発光ダイオード素子それぞれの入力電流を絞って前記被読み取り物に適した色バランスになるように該各入力電流の調整を行い、
前記セットアップ調整を行うとき以外は、前記複数の発光ダイオード素子についてそれぞれの入力電流値を、前記セットアップ調整で調整したそれぞれの入力電流値に前記予め求めておいたそれぞれの係数をかけることで得られるそれぞれの入力電流値にすることを特徴とする画像読み取り装置のセットアップ方法。
【請求項２】
前記複数の発光ダイオード素子からの前記光絞り用フィルタを介して到来するそれぞれの透過光を受光して得られる前記複数の撮像素子それぞれの前記被読み取り物に適した色バランスになるような基準出力値をさらに予め求めておき、
前記複数の発光ダイオード素子それぞれの入力電流の調整を行うにあたり、前記複数の発光ダイオード素子それぞれの入力電流を、前記複数の撮像素子それぞれの出力値が前記予め求めておいたそれぞれの基準出力値になるように調整する請求項１記載の画像読み取り装置のセットアップ方法。
【請求項３】
前記光絞り用フィルタは、前記被読み取り物の光透過率特性及び色バランス特性に対応する特性を有するセットアップフィルタである請求項１又は２記載の画像読み取り装置のセットアップ方法。
【請求項４】
互いに異なるピーク波長を有する光波長域の光を発光する複数の発光ダイオード素子を含み、透光性を有する被読み取り物に前記複数の発光ダイオード素子からの光を照射する光源部と、
前記複数の発光ダイオード素子から前記被読み取り物を通過してくる透過光をそれぞれ受光する複数の撮像素子を含む撮像部と、
前記被読み取り物と前記撮像部との間の光路上に配置され、前記被読み取り物からの透過光を前記複数の撮像素子に結像させる結像部とを備え、前記光源部から前記被読み取り物を介して到来する透過光を前記結像部で前記撮像部に結像させて画像を読み取る画像読み取り装置を具備する画像処理装置であって、
前記複数の発光ダイオード素子に対するそれぞれの係数であって前記複数の発光ダイオード素子から前記被読み取り物の光透過率に対応する光透過率を有する光絞り用フィルタを介して到来するそれぞれの透過光により該光を受光して得られる前記複数の撮像素子それぞれの出力値がオーバーフローしないそれぞれの所定範囲内の適正出力値になるような前記複数の発光ダイオード素子それぞれの入力電流値を、前記複数の発光ダイオード素子から前記光絞り用フィルタを介さずに直接的に到来するそれぞれの光により該光を受光して得られる前記複数の撮像素子それぞれの出力値が前記それぞれの適正出力値になるような前記複数の発光ダイオード素子それぞれの入力電流値で割ったそれぞれの係数を記憶する係数記憶手段を備えていることを特徴とする画像処理装置。
【請求項５】
セットアップ調整を行うときは、前記光源部から前記光絞り用フィルタを介さずに直接的に到来するそれぞれの光により該光を受光して得られる前記複数の撮像素子それぞれの出力値がオーバーフローしないように前記複数の発光ダイオード素子それぞれの入力電流を絞って前記被読み取り物に適した色バランスになるように該各入力電流の調整を行い、
前記セットアップ調整を行うとき以外は、予め求めておいた前記複数の発光ダイオード素子に対するそれぞれの係数が記憶された前記係数記憶手段から該予め求めておいた前記複数の発光ダイオード素子に対するそれぞれの係数を読み出し、前記複数の発光ダイオード素子についてそれぞれの入力電流値を、前記セットアップ調整で調整したそれぞれの入力電流値に前記係数記憶手段から読み出された前記それぞれの係数をかけることで得られるそれぞれの入力電流値にするように構成した請求項４記載の画像処理装置。
【請求項６】
前記複数の撮像素子それぞれの出力値であって前記複数の発光ダイオード素子からの前記光絞り用フィルタを介して到来するそれぞれの透過光を受光して得られる前記複数の撮像素子それぞれの前記被読み取り物に適した色バランスになるような基準出力値を記憶する基準出力値記憶手段をさらに備えている請求項４又は５記載の画像処理装置。
【請求項７】
前記複数の発光ダイオード素子それぞれの入力電流の調整を行うにあたり、予め求めておいた前記複数の撮像素子それぞれの基準出力値が記憶された前記基準出力値記憶手段から該予め求めておいた前記複数の撮像素子それぞれの基準出力値を読み出し、前記複数の発光ダイオード素子それぞれの入力電流を、前記複数の撮像素子それぞれの出力値が前記基準出力値記憶手段から読み出された前記それぞれの基準出力値になるように調整を行うように構成した請求項６記載の画像処理装置。
【請求項８】
前記光絞り用フィルタは、前記被読み取り物の光透過率特性及び色バランス特性に対応する特性を有するセットアップフィルタである請求項４から７のいずれかに記載の画像処理装置。
【発明の詳細な説明】
【０００１】
【発明の属する技術分野】
本発明は、光源から透光性を有する被読み取り物を介して到来する透過光を撮像素子に結像させて画像を読み取る画像読み取り装置のセットアップ調整を行うためのセットアップ方法及び画像読み取り装置を具備する画像処理装置に関する。
【０００２】
【従来の技術】
画像読み取り装置のなかには、光源から出射された光を、透光性を有する被読み取り物（例えば、カラー写真ネガフィルムやカラー写真ポジフィルム）に照射し、該被読み取り物から到来する透過光を撮像素子（例えば、電荷結合素子（ＣＣＤ：Ｃｈａｒｇｅ  Ｃｏｕｐｌｅｄ  Ｄｅｖｉｃｅ））に結像させて画像を読み取るもの（例えば、デジタル写真処理装置等における画像処理装置に搭載されるような画像読み取り装置）がある。
【０００３】
かかる画像読み取り装置において、被読み取り物をカラー画像として読み取る場合には、光源として、ハロゲンランプ等の白色光源や、互いに異なるピーク波長を有する光波長域の光を発光する複数の単色光源、例えば、複数の発光ダイオード（以下、ＬＥＤともという）素子（例えば、赤色光を発光する赤色ＬＥＤ素子、緑色光を発光する緑色ＬＥＤ素子及び青色光を発光する青色ＬＥＤ素子の少なくとも三つのＬＥＤ素子）を用いることがある。いずれにしても光源から被読み取り物を通過してくる透過光をそれぞれ受光する複数の撮像素子（例えば、赤色用撮像素子、緑色用撮像素子及び青色用撮像素子の少なくとも三つの撮像素子）が設けられ、光源から被読み取り物を介して到来する透過光を複数の撮像素子にそれぞれ結像させて画像を読み取る。
【０００４】
この種の画像読み取り装置では、従来、カラーネガフィルムやカラーポジフィルムなどの被読み取り物から適正な画像を読み取るために、例えば、被読み取り物の光透過率特性及び色バランス特性に対応する特性を有するセットアップフィルタを用い、主として（ａ）最適光量化（適正光量調整）、（ｂ）色バランス調整、（ｃ）シェーディング調整といったセットアップ調整が行われる。
【０００５】
すなわち、前記（ａ）の最適光量化（適正光量調整）では、例えば、光源からセットアップフィルタを介して到来する透過光の光量により該透過光を受光して得られる複数の撮像素子それぞれの出力値がオーバーフローしないそれぞれの所定範囲内の適正出力値となるように調整する。また、前記（ｂ）の色バランス調整では、例えば、光源からセットアップフィルタを介して到来する透過光を受光して得られる複数の撮像素子それぞれの出力値が被読み取り物に適した色バランスになるように調整する。さらに、前記（ｃ）のシェーディング調整では、光源の照度ムラやうねり、例えば、光源に複数のＬＥＤ素子を用いる場合であって各色のＬＥＤ素子において複数のＬＥＤが存在するような場合に個々のＬＥＤの光量のばらつき等による照度ムラやうねりが発生することがあるので、この照度ムラやうねりを補正するために、光源からセットアップフィルタを介して到来する透過光を受光して得られる複数の撮像素子それぞれにおける各画素の出力値を、所定の基準値に向けて略一定になるように、該各撮像素子それぞれにおける各画素の出力値に補正値をかけて得られる値に調整する。
【０００６】
かかるセットアップ調整を行う場合において、例えば、光源に複数のＬＥＤ素子を用いてカラー画像を読み取る画像読み取り装置では、ＬＥＤの経時変化等により、光量、色バランス、照度ムラ等の状態が変化することがあり、セットアップ調整後にさらに（例えば定期的に）セットアップ調整を実施する必要がある。
【０００７】
【発明が解決しようとする課題】
しかしながら、前記のセットアップフィルタは経時変化し易く、セットアップ調整するにあたり、前回調整したセットアップフィルタの特性に差異があると、適正なセットアップ調整を行うことができない。この問題を回避するため、調整毎に新しいフィルタを使用することが考えられるが、かかるセットアップフィルタは製造ロットのばらつきが大きく、セットアップ調整するにあたり、前回調整したセットアップフィルタの特性に差異が生じることがあり、いずれにしても適正なセットアップ調整を行うことができない。
【０００８】
本発明は、前記問題に鑑みてなされたもので、光源に発光ダイオード素子を用いて画像を読み取る画像読み取り装置のセットアップ方法及び画像処理装置であって、経時変化や製造ロットのばらつき等が生じ易いセットアップフィルタのようなものを使用することなく、セットアップ調整を適正に行うことができる画像読み取り装置のセットアップ方法及び画像処理装置を提供することを課題とする。
【０００９】
【課題を解決するための手段】
本発明者は前記課題を解決するため鋭意研究を重ねたところ、次のことを見出した。
【００１０】
すなわち、発光ダイオード素子は、一般的に、入力電流が大きくなると光量も比例的に大きくなる特性を有している。本発明者は発光ダイオード素子のこの特性に着目し、発光ダイオードに対する係数として、撮像素子の出力がオーバーフローしないような出力値にする場合において、被読み取り物がないときの発光ダイオード素子からの入力電流に対する、被読み取り物の光透過率に対応する光透過率を有する光絞り用フィルタがあるときの発光ダイオード素子からの入力電流の比を予め求めておけば、撮像素子の出力がオーバーフローしないように入力電流を絞った発光ダイオード素子から光絞り用フィルタを介さずに撮像素子に直接的に到来する光の光量は、前記絞った電流に前記予め求めておいた係数をかけた入力電流の発光ダイオード素子から光絞り用フィルタを介して撮像素子に到来する透過光の光量と略同一となる。よって、セットアップ調整を行うときは、光絞り用フィルタなしの状態で撮像素子の出力がオーバーフローしないように発光ダイオード素子の入力電流を絞って被読み取り物に適した色バランスになるように該入力電流の調整を行い、その後、前記予め求めておいた係数を前記セットアップ調整で調整した発光ダイオード素子の入力電流にかけることで、画像を読み取り時の光量を維持すれば、経時変化や製造ロットのばらつき等が生じ易いセットアップフィルタのようなものを使用することなく、適正なセットアップ調整を行うことができる。
【００１１】
本発明はかかる知見に基づくものであり、前記課題を解決するため、次の画像読み取り装置のセットアップ方法及び画像処理装置を提供する。すなわち、
（１）画像読み取り装置のセットアップ方法
互いに異なるピーク波長を有する光波長域の光を発光する複数の発光ダイオード素子から出射された光を、透光性を有する被読み取り物に照射し、該被読み取り物を介して通過してくる透過光を複数の撮像素子に結像させて画像を読み取る画像読み取り装置のセットアップ調整を行うためのセットアップ方法であって、
前記複数の発光ダイオード素子から前記被読み取り物の光透過率に対応する光透過率を有する光絞り用フィルタを介して到来するそれぞれの透過光により該光を受光して得られる前記複数の撮像素子それぞれの出力値がオーバーフローしないそれぞれの所定範囲内の適正出力値になるような前記複数の発光ダイオード素子それぞれの入力電流値を、前記複数の発光ダイオード素子から前記光絞り用フィルタを介さずに直接的に到来するそれぞれの光により該光を受光して得られる前記複数の撮像素子それぞれの出力値が前記それぞれの適正出力値になるような前記複数の発光ダイオード素子それぞれの入力電流値で割ったそれぞれの係数を予め求めておき、
セットアップ調整を行うときは、前記複数の発光ダイオード素子から前記光絞り用フィルタを介さずに直接的に到来するそれぞれの光により該光を受光して得られる前記複数の撮像素子それぞれの出力値がオーバーフローしないように前記複数の発光ダイオード素子それぞれの入力電流を絞って前記被読み取り物に適した色バランスになるように該各入力電流の調整を行い、
前記セットアップ調整を行うとき以外（例えば、前記セットアップ調整の後、画像を読み取るとき）は、前記複数の発光ダイオード素子についてそれぞれの入力電流値を、前記セットアップ調整で調整したそれぞれの入力電流値に前記予め求めておいたそれぞれの係数をかけることで得られるそれぞれの入力電流値にすることを特徴とする画像読み取り装置のセットアップ方法。
【００１２】
（２）画像処理装置
互いに異なるピーク波長を有する光波長域の光を発光する複数の発光ダイオード素子を含み、透光性を有する被読み取り物に前記複数の発光ダイオード素子からの光を照射する光源部と、
前記複数の発光ダイオード素子から前記被読み取り物を通過してくる透過光をそれぞれ受光する複数の撮像素子を含む撮像部と、
前記被読み取り物と前記撮像部との間の光路上に配置され、前記被読み取り物からの透過光を前記複数の撮像素子に結像させる結像部とを備え、前記光源部から前記被読み取り物を介して到来する透過光を前記結像部で前記撮像部に結像させて画像を読み取る画像読み取り装置を具備する画像処理装置であって、
前記複数の発光ダイオード素子に対するそれぞれの係数であって前記複数の発光ダイオード素子から前記被読み取り物の光透過率に対応する光透過率を有する光絞り用フィルタを介して到来するそれぞれの透過光により該光を受光して得られる前記複数の撮像素子それぞれの出力値がオーバーフローしないそれぞれの所定範囲内の適正出力値になるような前記複数の発光ダイオード素子それぞれの入力電流値を、前記複数の発光ダイオード素子から前記光絞り用フィルタを介さずに直接的に到来するそれぞれの光により該光を受光して得られる前記複数の撮像素子それぞれの出力値が前記それぞれの適正出力値になるような前記複数の発光ダイオード素子それぞれの入力電流値で割ったそれぞれの係数を記憶する係数記憶手段を備えていることを特徴とする画像処理装置。
【００１３】
前記の発光ダイオード（以下、ＬＥＤともいう）素子には、ＬＥＤ単体のものや複数のＬＥＤが存在するもの、例えば複数のＬＥＤが所定方向に配置されたＬＥＤ素子、いわゆるラインＬＥＤ素子を含む。前記撮像素子としては、代表例として、電荷結合素子（ＣＣＤ：Ｃｈａｒｇｅ  Ｃｏｕｐｌｅｄ  Ｄｅｖｉｃｅ）を挙げることができる。前記複数の撮像素子のうちいずれか、或いはいずれもが一体的に形成されていてもよい。また、前記被読み取り物としては、カラー写真ネガフィルムやカラー写真ポジフィルムを例示できる。
【００１４】
本発明に係る画像読み取り装置のセットアップ方法及び画像処理装置では、まず、前記複数の発光ダイオード素子に対する前記それぞれの係数を予め求めておく。
【００１５】
この係数はいわば、前記複数の撮像素子それぞれの出力がオーバーフローしないような出力値にする場合において、前記被読み取り物がないときの前記複数の発光ダイオード素子からの入力電流に対する、前記被読み取り物の光透過率に対応する光透過率を有する光絞り用フィルタがあるときの前記複数の発光ダイオード素子からの入力電流のそれぞれの比であり、前記複数の撮像素子それぞれの出力がオーバーフローしないように入力電流を絞った前記複数の発光ダイオード素子から前記光絞り用フィルタを介さずに前記複数の撮像素子に直接的に到来するそれぞれの光の光量は、前記絞った電流に前記予め求めておいたそれぞれの係数をかけた入力電流の前記複数の発光ダイオード素子から前記光絞り用フィルタを介して前記複数の撮像素子に到来するそれぞれの透過光の光量と略同一となる。
【００１６】
このように本発明に係る画像読み取り装置のセットアップ方法及び画像処理装置によると、前記複数の撮像素子それぞれの出力がオーバーフローしないように入力電流を絞った前記複数の発光ダイオード素子から前記光絞り用フィルタを介さずに前記複数の撮像素子に直接的に到来するそれぞれの光の光量が、前記絞った電流に前記予め求めておいたそれぞれの係数をかけた入力電流の前記複数の発光ダイオード素子から前記光絞り用フィルタを介して前記複数の撮像素子に到来するそれぞれの透過光の光量と略同一となるので、セットアップ調整を行うときは、前記複数の発光ダイオード素子から前記光絞り用フィルタを介さずに直接的に到来するそれぞれの光により該光を受光して得られる前記複数の撮像素子それぞれの出力値がオーバーフローしないように前記複数の発光ダイオード素子それぞれの入力電流を絞って前記被読み取り物に適した色バランスになるように該各入力電流の調整を行い、前記セットアップ調整を行うとき以外（例えば、前記セットアップ調整の後、画像を読み取るとき）は、前記複数の発光ダイオード素子についてそれぞれの入力電流値を、前記セットアップ調整で調整したそれぞれの入力電流値に前記予め求めておいたそれぞれの係数をかけることで得られるそれぞれの入力電流値にすることで、経時変化や製造ロットのばらつき等が生じ易いセットアップフィルタのようなものを使用することなく、セットアップ調整を適正に行うことができる。
【００１７】
この調整では、前記複数の撮像素子それぞれの出力値がオーバーフローしないように前記複数の発光ダイオード素子それぞれの入力電流を絞って前記被読み取り物に適した色バランスになるように該各入力電流を調整するので、最適な光量にしつつ色バランス調整を行うことができる。また、このとき照度ムラ等を補正するためのシェーディング調整を行ってもよい。
【００１８】
前記予め求めておく前記複数の発光ダイオード素子に対するそれぞれの係数は、例えば、同タイプの画像読み取り装置のうちに代表となる１台（又は数台）の標準的な画像読み取り装置について予め求めておく基準となる値（又は平均値）であってもよいし、工場出荷時等に個々の画像読み取り装置毎に予め求めておく値であってもよい。工場出荷時等に個々の画像読み取り装置毎に予め求めておく場合には、１又は数台の標準的な画像読み取り装置について予め求めておく場合よりも、精度よくセットアップ調整を行うことができる。
【００１９】
本発明に係る画像処理装置では、予め求めておいた前記複数の発光ダイオード素子に対するそれぞれの係数が記録された前記係数記憶手段から予め求めておいた前記複数の発光ダイオード素子に対するそれぞれの係数を読み出すことで、前記複数の発光ダイオード素子についてそれぞれの入力電流値を、前記セットアップ調整で調整したそれぞれの入力電流値に係数記憶手段から読み出された前記それぞれの係数をかけることで得られるそれぞれの入力電流値にすることができる。このセットアップ調整はオペレータが手動で行ってもよいし、かかる画像処理装置を、セットアップ調整を行うときは、前記光源部から前記光絞り用フィルタを介さずに直接的に到来するそれぞれの光により該光を受光して得られる前記複数の撮像素子それぞれの出力値がオーバーフローしないように前記複数の発光ダイオード素子それぞれの入力電流を絞って前記被読み取り物に適した色バランスになるように該各入力電流の調整を行い、前記セットアップ調整を行うとき以外（例えば、前記セットアップ調整の後、画像を読み取るとき）は、前記係数記憶手段から前記複数の発光ダイオード素子に対するそれぞれの係数を読み出し、前記複数の発光ダイオード素子についてそれぞれの入力電流値を、前記セットアップ調整で調整したそれぞれの入力電流値に前記係数記憶手段から読み出された前記それぞれの係数をかけることで得られるそれぞれの入力電流値にするように構成することで、自動的に行ってもよい。
【００２０】
前記複数の発光ダイオード素子それぞれの入力電流を絞って前記被読み取り物に適した色バランスになるように該各入力電流の調整を行う場合としては、例えば次の場合を挙げることができる。
【００２１】
すなわち、前記複数の発光ダイオード素子からの前記光絞り用フィルタを介して到来するそれぞれの透過光を受光して得られる前記複数の撮像素子それぞれの前記被読み取り物に適した色バランスになるような基準出力値をさらに予め求めておき、前記複数の発光ダイオード素子それぞれの入力電流の調整を行うにあたり、前記複数の発光ダイオード素子それぞれの入力電流を、前記複数の撮像素子それぞれの出力値が前記予め求めておいたそれぞれの基準出力値になるように調整する場合である。この場合、本発明に係る画像処理装置は、前記複数の撮像素子それぞれの出力値であって前記複数の発光ダイオード素子からの前記光絞り用フィルタを介して到来するそれぞれの透過光を受光して得られる前記複数の撮像素子それぞれの前記被読み取り物に適した色バランスになるような基準出力値を記憶する基準出力値記憶手段をさらに備えていればよい。
【００２２】
この画像処理装置では、予め求めておいた前記複数の撮像素子それぞれの基準出力値が記憶された前記基準出力値記憶手段から該予め求めておいた前記複数の撮像素子それぞれの基準出力値を読み出すことで、前記複数の発光ダイオード素子それぞれの入力電流を、前記複数の撮像素子それぞれの出力値が前記基準出力値記憶手段から読み出された前記それぞれの基準出力値になるように調整を行うことができる。このセットアップ調整はオペレータが手動で行ってもよいし、かかる画像処理装置を、前記複数の発光ダイオード素子それぞれの入力電流の調整を行うにあたり、予め求めておいた前記複数の撮像素子それぞれの基準出力値が記憶された前記基準出力値記憶手段から該予め求めておいた前記複数の撮像素子それぞれの基準出力値を読み出し、前記複数の発光ダイオード素子それぞれの入力電流を、前記複数の撮像素子それぞれの出力値が前記基準出力値記憶手段から読み出された前記それぞれの基準出力値になるように調整を行うように構成することで、自動的に行ってもよい。
【００２３】
前記の光絞り用フィルタとしては、前記被読み取り物の光透過率に対応する光透過率、さらに言えば前記被読み取り物の光透過率の範囲内にある光透過率を有するものであればいずれのものでもよく、例えば、前記被読み取り物（例えば、カラー写真ネガフィルム）の光透過率特性及び色バランス特性に対応する特性（例えば、光透過率が赤色２０％程度、緑色１０％程度、青色６％程度の特性）を有するセットアップフィルタを用いてもよいし、各波長に対して略均等な透過率（例えば、各波長に対して略１０％の透過率）を有するＮＤ（Ｎｅｕｔｒａｌ  Ｄｅｎｓｉｔｙ）フィルタを用いてもよい。
【００２４】
前記予め求めておくそれぞれの基準出力値は、例えば、同タイプの画像読み取り装置のうちの代表となる１台（又は数台）の標準的な画像読み取り装置について、前記複数の発光ダイオード素子から前記光絞り用フィルタを介して到来するそれぞれの透過光により該光を受光して得られる前記複数の撮像素子それぞれの出力値が前記被読み取り物に適した色バランスになるような値（又は平均値）とすればよい。なお、この値は前記光絞り用フィルタの光透過率特性によって異なった値になる。
【００２５】
ところで、発光ダイオード素子は、温度変化に対してピーク波長が変動することがあり、入力電流の増減による発光ダイオード素子の温度変化に伴って、ピーク波長が変動することがある。従って、前記複数の発光ダイオード素子は所定の温度に維持されることが望ましい。この場合、本発明に係る画像処理装置は、前記複数の発光ダイオード素子が所定の温度に維持されるように構成すればよい。こうすることで、入力電流の増減に関わらず発光ダイオード素子の温度を所定の温度に維持することができ、ひいてはピーク波長を所定のピーク波長に維持することができる。
【００２６】
【発明の実施の形態】
以下、添付図面を参照しつつ、本発明の実施の形態について説明する。図１は本発明に係る画像読み取り装置のセットアップ方法の一例を実施する本発明に係る画像処理装置を備えた写真処理装置の一実施形態の全体概略図を示す。
【００２７】
図１に示す写真処理装置Ａは画像処理装置１と画像露光現像装置２とで構成されている。画像処理装置１は画像読み取り装置６００と主制御装置９０とを備えている。
【００２８】
画像読み取り装置６００は、本例では、被読み取り物の一例であるカラーネガフィルムＦやカラーポジフィルムＦを走査し読み取るとともに読み取られた画像情報をデジタル変換してデジタル画像を取得するものである。主制御装置９０は、画像処理装置１の制御を含む写真処理装置Ａ全体を制御するものであり、制御部９１（後述する図３及び図４参照）を備えている。
【００２９】
画像処理装置１は、前記の画像読み取り装置６００にて読み取られた画像情報を表示する画像表示手段２０（ここではＣＲＴモニター）をさらに備えている。また、画像露光現像装置２は、感光材料に露光処理を施す露光装置６３（図１では図示せず、後述する図３及び図４参照）と、露光装置６３で露光処理された感光材料に現像処理を施す現像処理装置６１（同じく図３及び図４参照）と、現像処理装置６１で現像処理が施された感光材料を乾燥する乾燥処理部４と、乾燥処理部４で乾燥された感光材料をオーダー、及びサイズ毎に仕分けて回収する回収部５とで構成されている。
【００３０】
図２に図１に示す画像読み取り装置６００の概略構成図を示す。画像読み取り装置６００は、既述したように、フィルムＦを走査し読み取して画像情報を取得するものであり、光源部６１０、撮像部６２０、結像部６３０及びフィルム搬送部６４０を備えている。
【００３１】
本例の画像読み取り装置６００では、フィルム搬送部６４０にてフィルムＦを所定方向（図中Ｙ方向）に搬送するとともに、フィルム搬送部６４０にて搬送されたフィルムＦに光源部６１０から光ｒ，ｇ，ｂを照射し、光源部６１０からフィルムＦを介して到来する透過光を結像部６３０で撮像部６２０に結像させて画像を読み取る。フィルムＦの走査は、フィルムＦが主走査方向及び該方向を横切る副走査方向Ｙに走査されることでなされる。この走査により到来する画像光が結像部６３０により撮像部６２０に結像し、画像が読み取られる。なお、光源部６１０からの光ｉｒは、該光ｉｒをフィルムに照射することで、フィルムの傷を検出し、読み取り画像における傷画像を補正するために用いるものである。
【００３２】
光源部６１０は、互いに異なるピーク波長を有する光波長域の光を発光する複数の発光ダイオード（以下、ＬＥＤともいう）素子、本例では、赤外光ｉｒ及び赤色光ｒを発光する赤外赤色ＬＥＤ素子６１１Ｒ、緑色光ｇを発光する緑色ＬＥＤ素子６１１Ｇ及び青色光ｂを発光する青色ＬＥＤ素子６１１Ｂ並びにレンズ６１２Ｒ，６１２Ｇ，６１２Ｂ，６１５、ダイクロイックミラー６１３，６１４及びＬＥＤ温調部６１８を備えている。
【００３３】
ＬＥＤ素子６１１Ｒ，６１１Ｇ，６１１Ｂは、本例では、いずれも複数のＬＥＤを主走査方向にライン状に並べたＬＥＤライン光源であり、それぞれＬＥＤ駆動部６１６Ｒ，６１６Ｇ，６１６Ｂを介して制御部９１に接続されている（図２では図示を省略、図３参照）。
【００３４】
赤外赤色ＬＥＤ素子６１１Ｒは、本例では、６６０ｎｍのピーク波長を有する光波長域の光ｒを発光するライン状に並設された複数のポジフィルム用ＬＥＤ６１１Ｒ１と、７００ｎｍのピーク波長を有する光波長域の光ｒを発光するライン状に並設された複数のネガフィルム用ＬＥＤ６１１Ｒ２と、８７０〜８８０ｎｍのピーク波長を有する光波長域の光ｉｒを発光するライン状に並設された複数のフィルム傷検出用ＬＥＤ６１１ＩＲを含み、これらは主走査方向に交互に配置されている。赤外赤色ＬＥＤ素子６１１Ｒは、制御部９１の指示の下、ポジフィルムＦ及びネガフィルムＦの傷を検出するときは各フィルム傷検出用ＬＥＤ６１１ＩＲが点灯され、ポジフィルムＦを読み取るとき及びポジフィルムＦのセットアップ調整を行うときは各ポジフィルム用ＬＥＤ６１１Ｒ１が点灯され、また、ネガフィルムＦを読み取るとき及びネガフィルムＦのセットアップ調整を行うときは各ネガフィルム用ＬＥＤ６１１Ｒ２が点灯される。
【００３５】
緑色ＬＥＤ素子６１１Ｇは、本例では、５４０ｎｍのピーク波長を有する複数の緑色ＬＥＤが主走査方向に配置されており、制御部９１の指示の下、ポジフィルムＦ及びネガフィルムＦを読み取るとき並びにポジフィルムＦ及びネガフィルムＦのセットアップ調整を行うときは各緑色ＬＥＤが点灯される。
【００３６】
青色ＬＥＤ素子６１１Ｂは、本例では、４６０ｎｍのピーク波長を有する複数の青色ＬＥＤが主走査方向に配置されており、制御部９１の指示の下、ポジフィルムＦ及びネガフィルムＦを読み取るとき並びにポジフィルムＦ及びネガフィルムＦのセットアップ調整を行うときは各青色ＬＥＤが点灯される。
【００３７】
レンズ６１２Ｒ，６１２Ｇ及び６１２Ｂは、それぞれ赤外赤色ＬＥＤ素子６１１Ｒ，緑色ＬＥＤ素子６１１Ｇ及び青色ＬＥＤ素子６１１Ｂからの拡散光を略平行にすることができるものであり、それぞれＬＥＤ素子６１１Ｒの図２中右方、ＬＥＤ素子６１１Ｇの図中上方、ＬＥＤ素子６１１Ｂの図中上方に配置されている。
【００３８】
ダイクロイックミラー６１３は、青色ＬＥＤ素子６１１Ｂからレンズ６１２Ｂにて略平行にされた光ｂを反射するとともに赤外赤色ＬＥＤ素子６１１Ｒからレンズ６１２Ｒにて略平行にされた光ｒ，ｉｒを透過することができるものであり、レンズ６１２Ｂの図中上方、且つ、レンズ６１２Ｒの図中右方に配置されている。
【００３９】
ダイクロイックミラー６１４は、ダイクロイックミラー６１３を介して到来する光ｒ，ｉｒ，ｂを反射するとともに緑色ＬＥＤ素子６１１Ｇからレンズ６１２Ｇにて略平行にされた光ｇを透過することができるものであり、レンズ６１２Ｇの図中上方、且つ、ミラー６１３の図中右方に配置されている。
【００４０】
レンズ６１５は、ダイクロイックミラー６１４からの光ｒ，ｉｒ，ｇ，ｂをフィルムＦに結像させるものであり、ミラー６１４の図中上方に配置されている。
【００４１】
撮像部６２０は、可視光用撮像素子６２１、赤外光用撮像素子６２２及びダイクロイックミラー６２３を備えている。
【００４２】
可視光用撮像素子６２１は、本例では可視光用ＣＣＤであり、赤色用ＣＣＤ６２１Ｒ，緑色用ＣＣＤ６２１Ｇ，青色用ＣＣＤ６２１Ｂからなり、これらは一体的に形成されている。赤外光用撮像素子６２２は、本例では赤外光用ＣＣＤである。
【００４３】
ダイクロイックミラー６２３は、可視光用ＣＣＤ６２１の図中右方、且つ、赤外光用ＣＣＤ６２２の図中下方に配置され、光源部６１０からの光のうち可視光を反射することができるとともに赤外光を透過することができるものである。これにより、ミラー６２３を介して到来する反射光がＣＣＤ６２１に導かれるとともに、ミラー６２３を介して到来する透過光がＣＣＤ６２２に照射される。
【００４４】
可視光用ＣＣＤ６２１におけるＣＣＤ６２１Ｒ，６２１Ｇ，６２１Ｂは、本例では、それぞれ発光ダイオード素子６１１Ｒ，６１１Ｇ，６１１Ｂからの可視光ｒ，ｇ，ｂを受光して電気信号に変換する赤色用ＣＣＤ、緑色用ＣＣＤ、青色用ＣＣＤである。また、赤外光用ＣＣＤ６２２は、本例では、発光ダイオード素子６１１ＩＲからの赤外光ｉｒを受光して電気信号に変換する赤外用ＣＣＤである。
【００４５】
ＣＣＤ６２１Ｒ，６２１Ｇ，６２１Ｂは、それぞれＣＣＤ駆動部６２４Ｒ，６２４Ｇ，６２４Ｂ、ゲイン調整部６２５Ｒ，６２５Ｇ，６２５Ｂ及びＡ／Ｄ変換装置６２６Ｒ，６２６Ｇ，６２６Ｂを介して制御部９１に接続されている（図２では図示を省略、図３参照）。
【００４６】
結像部６３０は、フィルムＦと撮像部６２０との間の光路上に配置され、フィルムＦからの透過光を可視光用ＣＣＤ６２１及び赤外光用ＣＣＤ６２２に結像させる結像レンズ６３１を含んでいる。
【００４７】
フィルム搬送部６４０は、複数の搬送ローラ対６４１を備えており、各ローラ対６４１におけるローラ間にフィルムＦを挟持させつつ各ローラ対６４１を図中矢印方向に回転させることで、フィルムＦをＹ方向に搬送することができる。
【００４８】
図３に図１に示す写真処理装置Ａの画像読み取り装置６００部分を詳しく記載した概略ブロック図を示す。
【００４９】
図３に示すように、制御部９１は、前記の画像読み取り装置６００、モニター２０及び露光装置６３に接続されており、記憶手段９３、処理手段９４を含んでいる。
【００５０】
画像読み取り装置６００では、既述のとおり、ＬＥＤ素子６１１Ｒ，６１１Ｇ，６１１ＢがそれぞれＬＥＤ駆動部６１６Ｒ，６１６Ｇ，６１６Ｂを介して制御部９１に接続されており、ＣＣＤ６２１Ｒ，６２１Ｇ，６２１ＢがそれぞれＣＣＤ駆動部６２４Ｒ，６２４Ｇ，６２４Ｂ、ゲイン調整部６２５Ｒ，６２５Ｇ，６２５Ｂ及びＡ／Ｄ変換装置６２６Ｒ，６２６Ｇ，６２６Ｂを介して制御部９１に接続されている。なお、赤外光用ＣＣＤ６２２等については図示を省略してある。この他、ＬＥＤ温調部６１８等も制御部９１接続されている。
【００５１】
ＬＥＤ駆動部６１６Ｒ，６１６Ｇ，６１６Ｂは、それぞれ制御部９１の指示の下、ＬＥＤ素子６１１Ｒ，６１１Ｇ，６１１Ｂを駆動することができるとともにＬＥＤ素子６１１Ｒ，６１１Ｇ，６１１Ｂの入力電流を制御することができる。
【００５２】
ＣＣＤ駆動部６２４Ｒ，６２４Ｇ，６２４Ｂは、それぞれ制御部９１の指示の下、ＬＥＤ素子６１１Ｒ，６１１Ｇ，６１１Ｂを駆動することができる。
【００５３】
ゲイン調整部６２５Ｒ，６２５Ｇ，６２５Ｂは、それぞれ制御部９１の指示の下、ＣＣＤ６２１Ｒ，６２１Ｇ，６２１Ｂ出力のゲインを制御することができ、ＣＣＤ６２１Ｒ，６２１Ｇ，６２１Ｂからの出力信号をＡ／Ｄ変換装置６２６Ｒ，６２６Ｇ，６２６Ｂに送ることができる。
【００５４】
Ａ／Ｄ変換装置６２６Ｒ，６２６Ｇ，６２６Ｂは、それぞれゲイン調整部６２５Ｒ，６２５Ｇ，６２５Ｂから送られてきたアナログ信号をデジタル信号に変換することができる。
【００５５】
ＬＥＤ温調部６１８は、冷却装置（ここでは冷却ファン）６１８ａ、温度センサ６１８ｂ及び温調回路６１８ｃからなっている。
【００５６】
冷却ファン６１８ａは、ＬＥＤ素子６１１Ｒ，６１１Ｇ，６１１Ｂの近傍に配置されており、温調回路６１８ｃの指示の下、ＬＥＤ素子６１１Ｒ，６１１Ｇ，６１１Ｂを冷却することができる。温度センサ６１８ｂは、ＬＥＤ素子６１１Ｒ，６１１Ｇ，６１１Ｂの温度を検出することができるものである。温調回路６１８ｃは、温度センサ６１８ｂの検出温度に基づいて冷却ファン６１８ａの冷却動作を制御することができる。これにより、ＬＥＤ温調部６１８は、ＬＥＤ素子６１１Ｒ，６１１Ｇ，６１１Ｂを所定温度（ここでは４５℃±１℃程度）に保持することができる。
【００５７】
処理手段９４は、画像読み取り装置６００から送られてくる画像情報に基づいて最適光量化（適正光量調整）、色バランス調整、シェーディング調整等のセットアップ調整や種々の画像処理等を行うことができるように、種々の論理回路や演算回路、レジスタ、プロセッサ等によって構成されている。なお、この処理手段９４は、シェーディング調整による補正値が所定の範囲内にないときは、光路上にゴミ等が付着しているものと判断し、シェーディング調整を行わず、その旨のメッセージを表示する異常処理手段を含んでいる。
【００５８】
記憶手段９３は、ＬＥＤ素子６１１Ｒ，６１１Ｇ，６１１Ｂに対するそれぞれの係数ＫＲ，ＫＧ，ＫＢを記憶する係数記憶手段と、ＣＣＤ６２１Ｒ，６２１Ｇ，６２１Ｂそれぞれの基準出力値ＳＲ，ＳＧ，ＳＢを記憶する基準出力値記憶手段とを含み、ＲＡＭ及びＲＯＭ等によって構成される。この係数及び基準出力値については後述する。
【００５９】
露光装置６３は、処理手段９４から送られてくる画像情報に基づいて写真感光材料に露光することができる。
【００６０】
次に、図１に示す写真処理装置Ａの処理工程について図４を参照しながら説明する。図４に図１に示す写真処理装置Ａの処理工程を説明するための図を示す。
【００６１】
簡単に工程の流れを追いつつ主要構成を以下に説明する。なお、カラープリントを例にとって説明するが、モノクロプリントであっても同様の処理が行われる。
【００６２】
画像露光現像装置２は、前記した露光装置６３、現像処理装置６１、乾燥処理部４及び回収部５の他、搬送装置４３等を具備している。
【００６３】
画像処理装置１において、例えば、画像読み取り装置６００がカラーネガフィルムＦ等の画像情報を走査読み取りする。制御部９１では、処理手段９４にて画像処理されたデジタル画像が露光データとして決定される。
【００６４】
画像露光現像装置２において、感光材料４０がマガジン４２から引き出され、搬送装置４３のうちのローラ等によって搬送される。感光材料は、例えば、定寸に切断され、露光装置部４１において、露光装置６３によって、感光材料４０が露光される。
【００６５】
現像処理装置６１では、感光材料４０に対して、現像、定着、水洗等の種々の化学的処理（薬液Ｓ等）が行われ、さらに乾燥処理部４では、乾燥処理が行われ、かかる一連の工程が自動的になされる。そして搬送装置４３は、これらの工程において感光材料４０を搬送する。回収部５では、図１に示すように、大判の感光材料４０はトレー５２に回収され、小判の感光材料４０は仕分部５４にてオーダー毎に仕分けられ、回収される。仕分部５４は、小判感光材料の排出方向に対して直交方向に移動するコンベア５５と、該コンベア５５によって運ばれてくる小判感光材料をオーダー毎に仕分ける仕分装置５６とで構成されている。仕分装置５６は、上下方向に移動可能に配設された複数の受け皿５７を備えており、該受け皿５７が上下方向に移動することで、コンベア５５によって搬送されてくる小判感光材料を各受け皿５７へオーダー毎に振り分けるように構成されている。
【００６６】
そして、以上のような写真処理装置Ａ全体としての処理は主制御装置９０によって制御され、主制御装置９０は、処理手段９４の動作等を制御するように、電源等（図示せず）に接続され、写真処理装置Ａ全体の制御を行う。
【００６７】
次に画像読み取り装置６００のセットアップ調整を行うためのセットアップ方法について説明する。
【００６８】
まず、前記のＬＥＤ素子６１１Ｒ，６１１Ｇ，６１１Ｂに対するそれぞれの係数ＫＲ，ＫＧ，ＫＢ及び前記のＣＣＤ６２１Ｒ，６２１Ｇ，６２１Ｂそれぞれの基準出力値ＳＲ，ＳＧ，ＳＢを予め求めておく。これについて下表を参照しながら説明する。なお、この表において示すＬＥＤ光量又は電流値及びＣＣＤ適正出力値は相対値で表している。
【００６９】
2004248190.tif 000003
【００７０】
係数ＫＲ，ＫＧ，ＫＢは、それぞれＬＥＤ素子６１１Ｒ，６１１Ｇ，６１１ＢからフィルムＦの光透過率に対応する光透過率を有する光絞り用フィルタ（本例では、フィルムＦの光透過率特性及び色バランス特性に対応する特性を有するセットアップフィルタ）を介して到来するそれぞれの透過光により該光を受光して得られるＣＣＤ６２１Ｒ，６２１Ｇ，６２１Ｂそれぞれの出力値がオーバーフローしないそれぞれの所定範囲内の適正出力値（１００，１００，１００）になるようなＬＥＤ素子６１１Ｒ，６１１Ｇ，６１１Ｂそれぞれの入力電流値ａ（５００，１０００，１６６７）を、ＬＥＤ素子６１１Ｒ，６１１Ｇ，６１１Ｂから前記光絞り用フィルタを介さずに直接的に到来するそれぞれの光により該光を受光して得られるＣＣＤ６２１Ｒ，６２１Ｇ，６２１Ｂそれぞれの出力値が前記それぞれの適正出力値（１００，１００，１００）になるようなＬＥＤ素子６１１Ｒ，６１１Ｇ，６１１Ｂそれぞれの入力電流値ｂ（１００，１００，１００）で割ったものａ／ｂ（５．００，１０．００，１６．６７）である。
【００７１】
この係数ＫＲ，ＫＧ，ＫＢはいわば、ＣＣＤ６２１Ｒ，６２１Ｇ，６２１Ｂそれぞれの出力がオーバーフローしないような出力値（１００，１００，１００）にする場合において、フィルムＦがないときのＬＥＤ素子６１１Ｒ，６１１Ｇ，６１１Ｂからの入力電流ｂ（１００，１００，１００）に対する、前記光絞り用フィルタがあるときのＬＥＤ素子６１１Ｒ，６１１Ｇ，６１１Ｂからの入力電流ａ（５００，１０００，１６６７）のそれぞれの比ａ／ｂ（５．００，１０．００，１６．６７）であり、ＣＣＤ６２１Ｒ，６２１Ｇ，６２１Ｂそれぞれの出力がオーバーフローしないように絞った入力電流（１００，１００，１００）のＬＥＤ素子６１１Ｒ，６１１Ｇ，６１１Ｂから前記光絞り用フィルタを介さずにＣＣＤ６２１Ｒ，６２１Ｇ，６２１Ｂに直接的に到来するそれぞれの光の光量（１００，１００，１００）は、前記絞った電流ｂ（１００，１００，１００）に前記予め求めておいたそれぞれの係数ＫＲ，ＫＧ，ＫＢ（５．００，１０．００，１６．６７）をかけた入力電流（５００，１０００，１６６７）のＬＥＤ素子６１１Ｒ，６１１Ｇ，６１１Ｂから前記光絞り用フィルタを介してＣＣＤ６２１Ｒ，６２１Ｇ，６２１Ｂに到来するそれぞれの透過光の光量（１００，１００，１００）と略同一となる。
【００７２】
このように本例の画像読み取り装置６００のセットアップ方法及び画像処理装置１によると、ＣＣＤ６２１Ｒ，６２１Ｇ，６２１Ｂそれぞれの出力がオーバーフローしないように入力電流を絞ったＬＥＤ素子６１１Ｒ，６１１Ｇ，６１１Ｂから前記光絞り用フィルタを介さずにＣＣＤ６２１Ｒ，６２１Ｇ，６２１Ｂに直接的に到来するそれぞれの光の光量が、前記絞った電流に前記予め求めておいたそれぞれの係数ＫＲ，ＫＧ，ＫＢをかけた入力電流のＣＣＤ６２１Ｒ，６２１Ｇ，６２１Ｂから前記光絞り用フィルタを介してＣＣＤ６２１Ｒ，６２１Ｇ，６２１Ｂに到来するそれぞれの透過光の光量と略同一となるので、セットアップ調整を行うときは、ＬＥＤ素子６１１Ｒ，６１１Ｇ，６１１Ｂから前記光絞り用フィルタを介さずに直接的に到来するそれぞれの光により該光を受光して得られるＣＣＤ６２１Ｒ，６２１Ｇ，６２１Ｂそれぞれの出力値がオーバーフローしないようにＬＥＤ素子６１１Ｒ，６１１Ｇ，６１１Ｂそれぞれの入力電流を絞ってフィルムＦに適した色バランスになるように該各入力電流の調整を行い、前記セットアップ調整を行うとき以外（例えば、前記セットアップ調整の後、画像を読み取るとき）は、ＬＥＤ素子６１１Ｒ，６１１Ｇ，６１１Ｂについてそれぞれの入力電流値を、前記セットアップ調整で調整したそれぞれの入力電流値に前記予め求めておいたそれぞれの係数ＫＲ，ＫＧ，ＫＢをかけることで得られるそれぞれの入力電流値にすることで、経時変化や製造ロットのばらつき等が生じ易いセットアップフィルタのようなものを使用することなく、セットアップ調整を適正に行うことができる。
【００７３】
この調整では、ＣＣＤ６２１Ｒ，６２１Ｇ，６２１Ｂそれぞれの出力値がオーバーフローしないようにＬＥＤ素子６１１Ｒ，６１１Ｇ，６１１Ｂそれぞれの入力電流を絞ってフィルムＦに適した色バランスになるように該各入力電流を調整するので、最適な光量にしつつ色バランス調整を行うことができる。また、このとき照度ムラ等を補正するためのシェーディング調整を行ってもよい。
【００７４】
前記予め求めておくＬＥＤ素子６１１Ｒ，６１１Ｇ，６１１Ｂに対するそれぞれの係数ＫＲ，ＫＧ，ＫＢは、例えば、同タイプの画像読み取り装置のうちに代表となる１台（又は数台）の標準的な画像読み取り装置について予め求めておく基準となる値（又は平均値）であってもよいし、工場出荷時等に個々の画像読み取り装置毎に予め求めておく値であってもよい。
【００７５】
本例の画像処理装置１では、記憶手段９３から前記予め求めておいたＬＥＤ素子６１１Ｒ，６１１Ｇ，６１１Ｂに対するそれぞれの係数ＫＲ，ＫＧ，ＫＢを読み出すことで、前記のセットアップ調整を行うことができる。このセットアップ調整はオペレータが手動で行ってもよいが、かかる画像処理装置１においては、制御部９１が、セットアップ調整を行うときは、光源部６１０から前記光絞り用フィルタを介さずに直接的に到来するそれぞれの光により該光を受光して得られるＣＣＤ６２１Ｒ，６２１Ｇ，６２１Ｂそれぞれの出力値がオーバーフローしないようにＬＥＤ素子６１１Ｒ，６１１Ｇ，６１１Ｂそれぞれの入力電流を絞ってフィルムＦに適した色バランスになるように該各入力電流の調整を行い、前記セットアップ調整を行うとき以外（例えば、前記セットアップ調整の後、画像を読み取るとき）は、記憶手段９３から前記予め求めておいたＬＥＤ素子６１１Ｒ，６１１Ｇ，６１１Ｂに対するそれぞれの係数ＫＲ，ＫＧ，ＫＢを読み出し、ＬＥＤ素子６１１Ｒ，６１１Ｇ，６１１Ｂについてそれぞれの入力電流値を、前記セットアップ調整で調整したそれぞれの入力電流値に記憶手段９３から読み出された前記それぞれの係数ＫＲ，ＫＧ，ＫＢをかけることで得られるそれぞれの入力電流値にする手段を含むように構成されおり、自動的に行っている。
【００７６】
ＬＥＤ素子６１１Ｒ，６１１Ｇ，６１１Ｂそれぞれの入力電流を絞ってフィルムＦに適した色バランスになるように該各入力電流の調整を、本例では、次のように行っている。
【００７７】
すなわち、ＬＥＤ素子６１１Ｒ，６１１Ｇ，６１１Ｂからの前記光絞り用フィルタを介して到来するそれぞれの透過光を受光して得られるＣＣＤ６２１Ｒ，６２１Ｇ，６２１ＢそれぞれのフィルムＦに適した色バランスになるような基準出力値をさらに予め求めておき、ＬＥＤ素子６１１Ｒ，６１１Ｇ，６１１Ｂそれぞれの入力電流の調整を行うにあたり、ＬＥＤ素子６１１Ｒ，６１１Ｇ，６１１Ｂそれぞれの入力電流を、ＣＣＤ６２１Ｒ，６２１Ｇ，６２１Ｂそれぞれの出力値が前記予め求めておいたそれぞれの基準出力値になるように調整している。本例の画像処理装置１では、記憶手段９３において予め求めておいたＣＣＤ６２１Ｒ，６２１Ｇ，６２１Ｂそれぞれの出力値であってＬＥＤ素子６１１Ｒ，６１１Ｇ，６１１Ｂからの前記光絞り用フィルタを介して到来するそれぞれの透過光を受光して得られるＣＣＤ６２１Ｒ，６２１Ｇ，６２１ＢそれぞれのフィルムＦに適した色バランスになるような基準出力値が記憶されている。
【００７８】
この画像処理装置１では、記憶手段９３から前記予め求めておいたＣＣＤ６２１Ｒ，６２１Ｇ，６２１Ｂそれぞれの基準出力値を読み出すことで、前記のセットアップ調整を行うことができる。このセットアップ調整はオペレータが手動で行ってもよいが、かかる画像処理装置１においては、制御部９１が、ＬＥＤ素子６１１Ｒ，６１１Ｇ，６１１Ｂそれぞれの入力電流の調整を行うにあたり、記憶手段９３から前記予め求めておいたＣＣＤ６２１Ｒ，６２１Ｇ，６２１Ｂそれぞれの基準出力値を読み出し、ＬＥＤ素子６１１Ｒ，６１１Ｇ，６１１Ｂそれぞれの入力電流を、ＣＣＤ６２１Ｒ，６２１Ｇ，６２１Ｂそれぞれの出力値が記憶手段９３から読み出された前記それぞれの基準出力値になるように調整を行う手段を含むように構成されており、自動的に行っている。
【００７９】
前記予め求めておくそれぞれの基準出力値は、本例では、同タイプの画像読み取り装置のうちの代表となる１台（又は数台）の標準的な画像読み取り装置について、ＬＥＤ素子６１１Ｒ，６１１Ｇ，６１１Ｂから前記光絞り用フィルタを介して到来するそれぞれの透過光により該光を受光して得られるＣＣＤ６２１Ｒ，６２１Ｇ，６２１Ｂそれぞれの出力値がフィルムＦに適した色バランスになるような値（又は平均値）としている。
【００８０】
ところで、ＬＥＤ素子６１１Ｒ，６１１Ｇ，６１１Ｂは、温度変化に対してピーク波長が変動することがあり、入力電流の増減によるＬＥＤ素子６１１Ｒ，６１１Ｇ，６１１Ｂの温度変化に伴って、ピーク波長が変動することがある。この点、本例では、ＬＥＤ素子６１１Ｒ，６１１Ｇ，６１１Ｂは所定の温度（ここでは４５℃±１℃程度）に維持されるので、入力電流の増減に関わらずＬＥＤ素子６１１Ｒ，６１１Ｇ，６１１Ｂの温度を所定の温度に維持することができ、ひいてはピーク波長を所定のピーク波長に維持することができる。
【００８１】
【発明の効果】
以上説明したように本発明によると、光源に発光ダイオード素子を用いて画像を読み取る画像読み取り装置のセットアップ方法及び画像処理装置であって、経時変化や製造ロットのばらつき等が生じ易いセットアップフィルタのようなものを使用することなく、セットアップ調整を適正に行うことができる画像読み取り装置のセットアップ方法及び画像処理装置を提供することができる。
【図面の簡単な説明】
【図１】本発明に係る画像読み取り装置のセットアップ方法の一例を実施する本発明に係る画像処理装置を備えた写真処理装置の一実施形態の全体概略図である。
【図２】図１に示す画像読み取り装置の構成を概略的に示す図である。
【図３】図１に示す写真処理装置の画像読み取り装置部分を詳しく記載した概略ブロック図である。
【図４】図１に示す写真処理装置の処理工程を説明するための図である。
【符号の説明】
９１…制御部  ９３…記憶手段  ９４…処理手段  ６００…画像読み取り装置
６１０…光源部  ６１１Ｒ，６１１Ｇ，６１１Ｂ…発光ダイオード素子
６１８…ＬＥＤ温調部  ６２０…撮像部
６２１Ｒ，６２１Ｇ，６２１Ｂ…撮像素子  ６３０…結像部  １…画像処理装置
Ｆ…被読み取り物
【図１】
2004248190.tif 000004
【図２】
2004248190.tif 000005
【図３】
2004248190.tif 000006
【図４】
2004248190.tif 000007